【手続補正書】
【提出日】平成25年2月6日(2013.2.6)
【手続補正１】
【補正対象書類名】明細書
【補正対象項目名】０００６
【補正方法】変更
【補正の内容】
【０００６】
上記課題を解決するため、本発明の撮像装置は、撮像手段により逐次撮像される被写体の動画像を１つの連続した動画像データとして逐次記録する動画記録手段と、この動画記録手段による１つの連続した動画像データの撮像および記録中に、前記撮像手段により撮像される被写体の状態変化に合わせて、当該被写体の撮像条件を調整する調整手段と、前記動画記録手段による１つの連続した動画像データの撮像および記録中に、動画像を記録する際のフレームレートを切り替える切替手段と、この切替手段により前記動画像を記録する際のフレームレートが第１記録フレームレートから前記第１記録フレームレートよりも高速の第２記録フレームレートに切り替えられた場合には、この第２記録フレームレートでの記録中における前記調整手段による撮像条件の調整を制限する調整制御手段と、を備えたことを特徴としている。
【手続補正２】
【補正対象書類名】明細書
【補正対象項目名】０００７
【補正方法】変更
【補正の内容】
【０００７】
上記課題を解決するため、本発明の撮像処理方法は、撮像手段を備える撮像装置を用いた撮像処理方法であって、前記撮像手段により逐次撮像される被写体の動画像を１つの連続した動画像データとして逐次記録する処理と、前記１つの連続した動画像データの撮像および記録中に、前記撮像手段により撮像される被写体の状態変化に合わせて、当該被写体の撮像条件を調整する処理と、前記１つの連続した動画像データの撮像および記録中に、動画像を記録する際のフレームレートを切り替える処理と、前記動画像を記録する際のフレームレートが第１記録フレームレートから前記第１記録フレームレートよりも高速の第２記録フレームレートに切り替えられた場合には、この第２記録フレームレートでの記録中における前記撮像条件の調整を制限する処理と、を含むことを特徴としている。
【手続補正３】
【補正対象書類名】明細書
【補正対象項目名】０００８
【補正方法】変更
【補正の内容】
【０００８】
上記課題を解決するため、本発明のプログラムは、撮像手段を備える撮像装置のコンピュータを、前記撮像手段により逐次撮像される被写体の動画像を１つの連続した動画像データとして逐次記録させる動画記録手段、この動画記録手段による１つの連続した動画像データの撮像および記録中に、前記撮像手段により撮像される被写体の状態変化に合わせて、当該被写体の撮像条件を調整する調整手段、前記動画記録手段による１つの連続した動画像データの撮像および記録中に、動画像を記録する際のフレームレートを切り替える切替手段、この切替手段により前記動画像を記録する際のフレームレートが第１記録フレームレートから前記第１記録フレームレートよりも高速の第２記録フレームレートに切り替えられた場合には、この第２記録フレームレートでの記録中における前記調整手段による撮像条件の調整を制限する調整制御手段、として機能させることを特徴としている。
【手続補正４】
【補正対象書類名】特許請求の範囲
【補正対象項目名】全文
【補正方法】変更
【補正の内容】
【特許請求の範囲】
【請求項１】
撮像手段により逐次撮像される被写体の動画像を１つの連続した動画像データとして逐次記録する動画記録手段と、
この動画記録手段による１つの連続した動画像データの撮像および記録中に、前記撮像手段により撮像される被写体の状態変化に合わせて、当該被写体の撮像条件を調整する調整手段と、
前記動画記録手段による１つの連続した動画像データの撮像および記録中に、動画像を記録する際のフレームレートを切り替える切替手段と、
この切替手段により前記動画像を記録する際のフレームレートが第１記録フレームレートから前記第１記録フレームレートよりも高速の第２記録フレームレートに切り替えられた場合には、この第２記録フレームレートでの記録中における前記調整手段による撮像条件の調整を制限する調整制御手段と、
を備えたことを特徴とする撮像装置。
【請求項２】
前記調整制御手段は、更に、
前記第１記録フレームレートから前記第２記録フレームレートに切り替えられた際に、この切り替え以前に調整された撮像条件を保持するように前記調整手段による撮像条件の調整を制限するか、或いは、この切り替え以前と比較して撮像条件がより緩やかに変化するように前記調整手段による撮像条件の調整を制限することを特徴とする請求項１に記載の撮像装置。
【請求項３】
前記動画記録手段により記録された動画像データを、記録時のフレームレートと同じフレームレートで再生する再生手段と、
前記切替手段により一時的に記録時のフレームレートが切り替えられた形で記録された動画像データを前記再生手段により再生する場合、当該一時的に記録時のフレームレートが切り替えられた部分を再生するときの再生時のフレームレートを、記録時のフレームレートとは異なるフレームレートで再生させる再生制御手段と、を更に備えることを特徴とする請求項２に記載の撮像装置。
【請求項４】
前記再生制御手段は、更に、
前記動画記録手段により記録された１つの動画像データの全体を連続的に再生する場合に、前記第２記録フレームレートで記録した部分が自動的にスローモーションで再生されるように、前記第１記録フレームレートで記録された部分と前記第２記録フレームレートで記録された部分の再生時のフレームレートを変えることなく該動画像データの全体を前記第１記録フレームレートと同じフレームレートで連続的に再生させることを特徴とする請求項３に記載の撮像装置。
【請求項５】
前記撮像手段による被写体の動画像の撮像により生成された複数のフレーム画像に基づいて、被写体の状態を検出する状態検出手段を更に備え、
前記状態検出手段は、
前記第２記録フレームレートでの動画像の撮像の際に、当該第２記録フレームレートに対応する間隔よりも長い所定間隔を空けて撮像された各フレーム画像について、被写体の状態を検出することを特徴とする請求項２〜４の何れか一項に記載の撮像装置。
【請求項６】
装置本体に生じる動きの大きさを検出する動き検出手段を更に備え、
前記調整制御手段は、
前記第２記録フレームレートでの動画像の記録の際に、前記動き検出手段により検出された動きの大きさが所定値よりも大きい場合に、前記第２記録フレームレートに対応する間隔よりも長い所定間隔を空けて撮像された各フレーム画像より検出される被写体の状態に基づいて、動画像における当該被写体の記録状態が緩やかに変化するように、前記調整手段による制限された撮像条件の調整を行うことを特徴とする請求項５に記載の撮像装置。
【請求項７】
前記調整制御手段は、更に、
前記第２記録フレームレートでの動画像の記録の際に、当該第２記録フレームレートに対応する間隔よりも長い所定間隔を空けて撮像された２つのフレーム画像の各々について、前記状態検出手段により被写体の状態を検出し、これら２つのフレーム画像のうちの先のフレーム画像から検出された被写体の状態に対応して調整される撮像条件から、後のフレーム画像から検出された被写体の状態に対応して調整される撮像条件へと徐々に変化するように前記調整手段による制限された撮像条件の調整を行うことを特徴とする請求項６に記載の撮像装置。
【請求項８】
前記状態検出手段は、更に、
前記第１記録フレームレートでの動画像の記録の際に、当該第１記録フレームレートに応じた周期で撮像された各フレーム画像について、被写体の状態を逐次検出し、
前記調整制御手段は、更に、
前記状態検出手段により逐次検出された被写体の状態に従って、被写体の撮像条件を前記調整手段により逐次調整させることを特徴とする請求項６に記載の撮像装置。
【請求項９】
前記調整制御手段は、更に、
前記切替手段により前記第２記録フレームレートから前記第１記録フレームレートに切り替えられた場合に、当該第１記録フレームレートに応じた周期で撮像された各フレーム画像について、被写体の撮像条件を当該被写体の記録状態が緩やかに変化するように前記調整手段による撮像条件の調整を制限することを特徴とする請求項１〜４の何れか一項に記載の撮像装置。
【請求項１０】
装置本体に生じる動きの大きさを検出する動き検出手段と、
この動き検出手段により検出された動きの大きさが所定値以下の場合に、前記撮像手段により前記第２記録フレームレートに応じた周期で動画像を撮像させる一方で、前記検出手段により検出された動きの大きさが所定値よりも大きい場合に、前記撮像手段により前記第１記録フレームレートに応じた周期で動画像を撮像させる撮像制御手段と、を更に備えることを特徴とする請求項１〜４の何れか一項に記載の撮像装置。
【請求項１１】
前記切替手段は、更に、
ユーザによる所定操作に基づいて入力された記録フレームレートの切替指示に従って、前記動画像を記録する際のフレームレートを前記第１記録フレームレートと前記第２記録フレームレートとで切り替えることを特徴とする請求項１〜４の何れか一項に記載の撮像装置。
【請求項１２】
前記切替手段は、更に、
前記撮像手段により撮像される被写体の状態変化に基づいて、前記動画像を記録する際のフレームレートを前記第１記録フレームレートと前記第２記録フレームレートとで切り替えることを特徴とする請求項１〜４の何れか一項に記載の撮像装置。
【請求項１３】
前記撮像条件は、前記撮像手段により被写体を撮像する際の露出調整条件及びホワイトバランス調整条件のうち、少なくとも一方を含むことを特徴とする請求項１〜４の何れか一項に記載の撮像装置。
【請求項１４】
前記撮像手段により撮像された動画像から特定の被写体を検出する被写体検出手段を更に備え、
前記調整手段は、前記被写体検出手段により検出された特定の被写体を基準として、前記露出調整条件及び前記ホワイトバランス調整条件のうち、少なくとも一方を調整することを特徴とする請求項１３に記載の撮像装置。
【請求項１５】
撮像手段を備える撮像装置を用いた撮像処理方法であって、
前記撮像手段により逐次撮像される被写体の動画像を１つの連続した動画像データとして逐次記録する処理と、
前記１つの連続した動画像データの撮像および記録中に、前記撮像手段により撮像される被写体の状態変化に合わせて、当該被写体の撮像条件を調整する処理と、
前記１つの連続した動画像データの撮像および記録中に、動画像を記録する際のフレームレートを切り替える処理と、
前記動画像を記録する際のフレームレートが第１記録フレームレートから前記第１記録フレームレートよりも高速の第２記録フレームレートに切り替えられた場合には、この第２記録フレームレートでの記録中における前記撮像条件の調整を制限する処理と、
を含むことを特徴とする撮像処理方法。
【請求項１６】
撮像手段を備える撮像装置のコンピュータを、
前記撮像手段により逐次撮像される被写体の動画像を１つの連続した動画像データとして逐次記録させる動画記録手段、
この動画記録手段による１つの連続した動画像データの撮像および記録中に、前記撮像手段により撮像される被写体の状態変化に合わせて、当該被写体の撮像条件を調整する調整手段、
前記動画記録手段による１つの連続した動画像データの撮像および記録中に、動画像を記録する際のフレームレートを切り替える切替手段、
この切替手段により前記動画像を記録する際のフレームレートが第１記録フレームレートから前記第１記録フレームレートよりも高速の第２記録フレームレートに切り替えられた場合には、この第２記録フレームレートでの記録中における前記調整手段による撮像条件の調整を制限する調整制御手段、
として機能させることを特徴とするプログラム。